(57)【要約】【課題】同軸ケーブルの繋ぎ込み作業を容易化するため、端子の回動性をより高めた直列ユニットを提供すること。【解決手段】入力端子ＩＮおよび出力用端子ＯＵＴを有し、取付面に固定されて前記入力端子から与えられた信号を前記出力用端子に供給する直列ユニットであって、前記入力端子は、前記直列ユニットの筐体１００に対して回動自在に構成されたものにおいて、球面軸受部１２４，１２５，２０１１，２０１２を有し、前記筐体に対し前記球面軸受部により回動自在に固定される可動部をそなえ、前記筐体に前記出力用端子が、また前記可動部に前記入力端子が設けられ、前記球面軸受部は中心位置に、先端が球状の第１導体２０３と、この第1導体の先端部を包み込むように前記球状の導体に当接するカップ状の第２導体１２３ｂとを有し、前記第１および第２導体は、一方が前記入力端子に、また他方が前記出力用端子にそれぞれ接続されていることを特徴とする直列ユニット。【選択図】図３
2015069923.tif 000002
【特許請求の範囲】
【請求項１】
入力端子および出力用端子を有し、取付面に固定されて前記入力端子から与えられた信号を前記出力用端子に供給する直列ユニットであって、前記入力端子は、前記直列ユニットの筐体に対して回動自在に構成されたものにおいて、
球面軸受部を有し、前記筐体に対し前記球面軸受部により回動自在に固定される可動部をそなえ、
前記筐体に前記出力用端子が、また前記可動部に前記入力端子が設けられ、
前記球面軸受部は中心位置に、先端が球状の第１導体と、この第1導体の先端部を包み込むように前記球状の導体に当接するカップ状の第２導体とを有し、前記第１および第２導体は、一方が前記入力端子に、また他方が前記出力用端子にそれぞれ接続されている
ことを特徴とする直列ユニット。
【請求項２】
請求項１記載の直列ユニットにおいて、
前記球面軸受部は、前記入力端子を収容し一端が球面に構成されたエルボと、前記出力用端子を収容し、前記エルボの一端と係合する球受け部を一端に有する本体とをそなえたことを特徴とする直列ユニット。
【請求項３】
請求項２記載の直列ユニットにおいて、
前記球受け部は、ほぼ中央部の軸方向に直交する面で分離された２部材で構成され、一方の部材が他方の部材に対して可動となり、前記一方の部材が前記他方の部材に対して軸方向に押圧されることを特徴とする直列ユニット。
【発明の詳細な説明】
【技術分野】
【０００１】
本発明は、ＴＶ信号受信に用いられる直列ユニットに係り、とくに設置時に同軸ケーブル接続作業の作業性を改善し得るものに関する。
【背景技術】
【０００２】
例えば集合住宅のＴＶ受信用設備には、直列ユニットが設けられる。これは、アンテナ等からの信号を各フロア、各部屋に分配するために使用され、中継用ユニットは入力端子と出力端子、およびＴＶ端子と呼ばれる機器接続用端子とをそなえ、終端用ユニットはＴＶ端子のみで出力端子を有しない。
【０００３】
以下、直列ユニットにおける入力端子以外の端子、つまり出力端子およびＴＶ端子を総称して出力用端子と呼ぶ。
【０００４】
直列ユニットを設置するには、同軸ケーブルを接続した直列ユニットの筐体を壁面等に設けられた設置個所に埋め込む形を取る。この際、屈曲し難い同軸ケーブルをあまり変形させずに設置する必要があり、入力端子、出力端子を筐体に対して回動可能として同軸ケーブルをさほど屈曲せずに、端子に同軸ケーブルを繋ぎ込むようにしている(特許文献１−３参照）。
【先行技術文献】
【特許文献】
【０００５】
【特許文献１】特許４０４７６４１号公報
【特許文献２】特許４２３５０５４号公報
【特許文献３】特許４２３５０５５号公報
【発明の開示】
【発明が解決しようとする課題】
【０００６】
しかしながら、直列ユニットは小型の機器であり、その設置個所も小さな空間であるから、同軸ケーブルの難屈曲性が設置作業の作業性をかなり損なっている。
【０００７】
本発明は、上述の点を考慮してなされたもので、同軸ケーブルの繋ぎ込み作業を容易化するため、端子の回動性をより高めた直列ユニットの提供を目的とする。
【課題を解決するための手段】
【０００８】
上記目的達成のため、本発明では、
入力端子および出力用端子を有し、取付面に固定されて前記入力端子から与えられた信号を前記出力用端子に供給する直列ユニットであって、前記入力端子は、前記直列ユニットの筐体に対して回動自在に構成されたものにおいて、
球面軸受部を有し、前記筐体に対し前記球面軸受部により回動自在に固定される可動部をそなえ、
前記筐体に前記出力用端子が、また前記可動部に前記入力端子が設けられ、
前記球面軸受部は中心位置に、先端が球状の第１導体と、この第1導体の先端部を包み込むように前記球状の導体に当接するカップ状の第２導体とを有し、前記第１および第２導体は、一方が前記入力端子に、また他方が前記出力用端子にそれぞれ接続されている
ことを特徴とする直列ユニット、
を提供する。
【発明の効果】
【０００９】
本発明は上述のように、球面軸受部を有する直列ユニットを構成したため、出力用端子の回動範囲が平面内での回動だけでなく、平面に対して斜め方向も含めていわば立体的に回動させることができ、回動可能範囲が大幅に広がったため、同軸ケーブルとの接続作業をきわめて容易化した直列ユニットを提供することができる。
【図面の簡単な説明】
【００１０】
【図１】図１は、終端用直列ユニットとして構成された本発明の一実施例の構成を示す説明図で、図１(a)は正面側斜視図、図１(b)は背面側斜視図。
【図２】図２(a)は、図１に示した実施例の背面図、図２(b)は出力用端子を背後方向に斜めに倒した状態を示す図、図２(c)は出力用端子を前面方向に斜めに倒した状態を示す図。
【図３】図１に示した実施例の縦断面図。
【図４】図１に示した実施例の縦断面図と斜視図とを組み合わせた説明図。
【図５】図１に示した実施例の構成要素を軸方向に展開して示した図。
【図６】中継用直列ユニットとして構成された本発明のもう一つの実施例を示す斜視図。
【図７】図６に示した実施例の縦断面図。
【図８】図６に示した実施例の部分断面図と斜視図とを組み合わせた説明図。
【図９】図６に示した実施例の構成要素を軸方向に展開して示した図。
【発明を実施するための最良の形態】
【００１１】
以下、添付図面を参照して本発明の実施の形態を説明する。
【実施例１】
【００１２】
図１は、終端用直列ユニットとして構成された本発明の一実施例の構成を示す説明図で、図１(a)は正面側斜視図、図１(b)は背面側斜視図である。
【００１３】
直列ユニットは、筐体を含む本体１００とエルボ２００とによって構成され、図１(a)に想像線で示すような化粧パネル１０に、本体１００の正面にパネル１１０が面一で取り付けられて、建物の壁面等に設置される。
【００１４】
そして、背面のエルボ２００の端部に設けられた入力端子ＩＮに供給されるＴＶ信号等を、正面の出力用端子１２０（ＯＵＴ）からＴＶ受像機等に供給する。直列ユニットは、端部に取付用爪が形成された係止部材１３０によって図示しない壁面取付枠材に固定され、壁面に固定される。化粧パネル１０も、この壁面取付枠材に固定される。
【００１５】
図２(a)は、図１に示した直列ユニットの背面図、図２(b)は出力用端子を背後方向に斜めに倒した状態を示す図、図２(c)は出力用端子を前面方向に斜めに倒した状態を示す図である。
【００１６】
本体１００は、正面側にパネル１１０が、その背後に係止部材１３０が配され、背面中央にエルボ２００が取付けられる。エルボ２００は、内蔵する球面軸受（後述）により本体１００に取り付けられており、直列ユニットの設置面、例えば建物の壁面に平行な平面内で３６０°回転自在である上に、図２(b),(c)に示すように、壁面に平行な平面と直交する面内で斜め方向に所定角度α（例えば±１０数度）の範囲で倒すことができる。
【００１７】
したがって、エルボ２００の先端に設けられる入力端子ＩＮに同軸ケーブルを接続するには、上下左右のあらゆる角度からは無論のこと、直列ユニットの前後方向にある程度ずれた方向からも導入することができる。
【００１８】
図３は、図１に示した実施例の縦断面図である。この図３に示すように、本体１００とエルボ２００とは、図の中央に示す球面軸受により結合されている。
【００１９】
まず本体１００は、一般的な直列ユニットと同様に、パネル１１０の中心位置に出力用端子１２０（ＯＵＴ）を備える。出力用端子１２０（ＯＵＴ）は、同軸コネクタの外側導体でもある本体シェル１２１の内部に形成された空間に、樹脂製のほぼ筒状をなす絶縁体１２２を収容し、この絶縁体１２２の中央に端子導体１２３を保持する。
【００２０】
端子導体１２３は、図示左側の露出端に設けられた挟持部１２３ａで同軸コネクタ（図示せず）の中心導体と摺動接触して電気的に接続され、図示右端に設けられたカップ状部１２３ｂでエルボ２００に設けられた球形ヘッド２０３ａ（後述）と摺動接触して電気的に接続される。
【００２１】
このカップ状部１２３ｂおよび球形ヘッド２０３ａを取り囲んで、本体１００とエルボ２００とを機械的、電気的に接続する球面軸受が形成されている。すなわち、本体１００側では、本体シェル１２１で保持されたワッシャ１２４、球受け部材１２５および皿ばね１２６が配されており、また、エルボ２００側では、エルボ型シェル２０１の図示左端部外周にシェル球形部２０１１が設けられて、球面軸受を形成している。そして、かしめ部１２１ａをかしめることにより、２つのシェルが固定される。
【００２２】
つまり、かしめ部１２１ａをかしめることにより、本体シェル１２１とエルボ型シェル２０１とが一体化して球面軸受を形成する。そして、この球面軸受では、皿ばね１２６の弾性復元力により、球受け部材１２５がシェル球形部２０１１に対し押圧されて接触圧を与えられている。皿ばね１２６によって接触圧を与え得るように、球受け部材１２５とワッシャ１２４との間には若干の隙間が設けられている。
【００２３】
エルボ２００は、エルボ型シェル２０１の図示左側端にある球面軸受で本体１００に対して立体的に機械結合しており、かつ電気的に接続されている。また、エルボ２００の図示右側部分は、下端に入力端子ＩＮが設けられている。
【００２４】
この球面軸受により、本体１００とエルボ２００とが全体的に同軸構造を維持し、機械的には回動自在な関節状連結構造を、電気的には線路インピーダンスに配慮した同軸線路を構成している。
【００２５】
エルボ型シェル２０１の図示上部には、一端に球形ヘッド２０３ａを有する中継ぎ中心導体２０３が、絶縁体であるスペーサ２０２により支持されている。中継ぎ中心導体２０３の図示右端は、入力端子ＩＮの中心導体に接続されるピン型テール２０３ｂを形成している。
【００２６】
入力端子ＩＮは、エルボ２００の図示右側に収容したほぼ筒状の絶縁体２０４内に端子導体２０５を収容した構成となっており、この端子導体２０５の上端が中継ぎ中心導体２０３のピン型テール２０３ｂと弾性摺動接触する挟持部２０５ｂであり、下端が同軸ケーブル（図示せず）の中心導体が挿入される中心導体受け部２０５ａを構成している。
【００２７】
図４は、図１に示した実施例の縦断面図と斜視図とを組み合わせた説明図である。すなわち、パネル１１０の中心位置には、出力用端子１２０（ＯＵＴ）が配され、パネル１１０および出力用端子１２０（ＯＵＴ）は係止部材１３０により壁面取付枠材（図示せず）に固定されている。そして、出力用端子１２０（ＯＵＴ）は、ワッシャ１２４、球受け部材１２５等とシェル球形部２０１１等との協働による球面軸受によりエルボ２００の端部に設けられた入力端子ＩＮに接続されている。
【００２８】
このような構成により、本体１００とエルボ２００とは、球面軸受部による所定範囲での立体的な結合によって同軸状態を保ちつつ接続された状態が得られる。
【００２９】
図５は、図１に示した実施例の構成要素を軸方向に展開して示した図である。この図５では、直列ユニットを組み立てる際の各要素の配列順にほぼ近い形で示している。
【００３０】
まず本体シェル１２１に、端子導体１２３を組み込んだ絶縁体１２２を収容する。一方、エルボ型シェル２０１には、端子導体２０５を組み込んだ絶縁体２０４を収容しておく。
【００３１】
次いで、本体シェル１２１に皿ばね１２６、球受け部材１２５およびワッシャ１２４を挿入し、エルボ型シェル２０１にはスペーサ２０２および中継ぎ中心導体２０３を挿入してから、本体シェル１２１にエルボ型シェル２０１を嵌合して本体シェル１２１の図示右端面の一部に設けられた、かしめ部（図示せず）をかしめる。
【００３２】
これにより、本体シェル１２１とエルボ型シェル２０１とが強固に固定され、しかもエルボ型シェル２０１は本体シェル１２１に対して所定範囲内で立体的に回動自在状態となる。
【実施例２】
【００３３】
図６は、中継用直列ユニットとして構成された本発明のもう一つの実施例を示す斜視図である。
【００３４】
中継用直列ユニットでは、本体１００に対して振り首型シェル２００Ａを組み合わせる。すなわち、本体１００の軸線に対して所定角度範囲で首振り可能な振り首型シェル２００Ａを取り付ける。
【００３５】
図７は、図６に示した実施例の縦断面図である。この図7では、図示右側部分が本体１００で、左側に振り首型シェル２００Ａが配置されている。そして、振り首型シェル２００Ａがエルボ型シェル２００のように直角に屈曲した部分を持たない点を除けば、基本的な構成要素は実施例１と同様である。
【００３６】
図８は、図６に示した実施例の部分断面図と斜視図とを組み合わせた説明図である。すなわち、図７に示した縦断面に横断面を加えた直角部分断面図に、斜視図を組み合わせたものである。
【００３７】
ここで、実施例１と異なるのは、中継ぎ中心導体の球形部２０３を端子導体２０５が直接固定支持しており、実施例１における導体同士の摺動接触による接続ではないことである。その他は、球面軸受けを用いている点を含めて実施例１と同様である。
【００３８】
図９は、図６に示した実施例の構成要素を軸方向に展開して示した図であり、左右反転している点を除けば図５と同様である。すなわち、振り首型シェル２０１Ａに同軸コネクタ要素としての絶縁体２０４を組み込み、本体シェル１２１にも同軸コネクタ要素としての絶縁体１２２を組み込んで、本体シェル１２１に、皿ばね１２６、球受け部材１２５およびワッシャ１２４とともに、シェル２０１Ａを組み合わせてから本体シェル１２１のかしめ部（図示せず）をかしめることにより、本体シェル１２１と振り首型シェル２０１Ａとが一体化して球面軸受を構成している。
【００３９】
ここで、振り首型シェル２０１Ａにコネクタを取り付ける際の作業を考えると、回り止めを施しておく必要がある。そのために、振り首型シェル２０１Ａの突起２０１２、球受け部材１２５の溝１２５ａ、突条１２５ｂ、本体シェル１２１の溝１２１ａが設けられており、これらが係合することにより各構成要素は軸周りの運動が起きないように相互に拘束されている。
【符号の説明】
【００４０】
ＩＮ  入力端子、ＯＵＴ  出力用端子、
１０  化粧パネル、１００  本体、１１０  パネル、
１２０  出力用端子、１２１  本体シェル、１２２  絶縁体、
１２３  端子導体、１２４  ワッシャ、１２５  球受け部材、１２５ａ  溝、１２５ｂ  突条、１２６  皿ばね、１３０  係止部材、
２００  エルボ、２０１  エルボ型シェル、２０１１  シェル球形部、
２０１２  突起、２０１Ａ  振り首型シェル、２０２  スペーサ、
２０３  中継ぎ中心導体、２０３ａ  球型ヘッド、２０３ｂ  ピン型テール、２０４  絶縁体、２０５  端子導体、２０５ａ，２０５ｂ  中心導体受け部。
【図１】
2015069923.tif 000003
【図２】
2015069923.tif 000004
【図３】
2015069923.tif 000005
【図４】
2015069923.tif 000006
【図５】
2015069923.tif 000007
【図６】
2015069923.tif 000008
【図７】
2015069923.tif 000009
【図８】
2015069923.tif 000010
【図９】
2015069923.tif 000011